【手続補正書】
【提出日】平成18年11月28日(2006.11.28)
【手続補正１】
【補正対象書類名】特許請求の範囲
【補正対象項目名】全文
【補正方法】変更
【補正の内容】
【特許請求の範囲】
【請求項１】
音源の音響信号から、聴取位置の周囲の所定の位置に音像を定位させる第１および第２の主信号を生成する仮想音像定位処理装置において、
左右に配置された第１および第２の音声出力部に供給される音響信号を出力する第１および第２の出力端子と、
上記第１および第２の音声出力部とそれぞれ近接した位置に配置される第３および第４の音声出力部に供給される音響信号を出力する第３および第４の出力端子と、
音源の音響信号から、聴取位置の周囲の所定の位置に音像を定位させる補助信号を生成する少なくとも２以上の補助信号生成部を備え、
上記第１の出力端子には少なくとも第１の主信号を含む音響信号が供給され、上記第３の出力端子には少なくとも上記補助信号生成部で生成された補助信号を含む音響信号が供給され、上記第２の出力端子には少なくとも第２の主信号を含む音響信号が供給され、上記第４の出力端子には少なくとも上記補助信号生成部で生成された補助信号を含む音響信号が供給されること
を特徴とする仮想音像定位処理装置。
【請求項２】
請求項１に記載の仮想音像定位処理装置において、
上記補助信号生成部は、
上記音響信号から、聴取位置の周囲の第１の位置に音像を定位させる第１および第２の補助信号を生成する第１の補助信号生成部と、
上記音響信号から、聴取位置の周囲の第２の位置に音像を定位させる第３および第４の補助信号を生成する第２の補助信号生成部と
を備え、
上記第１の出力端子には、第１の主信号と第１の補助信号とが合成された音響信号が供給され、上記第３の出力端子には、第２の補助信号が供給され、
上記第２の出力端子には、第２の主信号と第３の補助信号とが合成された音響信号が供給され、上記第４の出力端子には、第４の補助信号が供給されること
を特徴とする仮想音像定位処理装置。
【請求項３】
請求項１に記載の仮想音像定位処理装置において、
上記補助信号生成部で生成される補助信号を、それぞれ所定の帯域に制限するフィルタ部を備えること
を特徴とする仮想音像定位処理装置。
【請求項４】
請求項１に記載の仮想音像定位処理装置において、
上記第１および第２の主信号に対して遅延処理を施す遅延処理部を備えること
を特徴とする仮想音像定位処理装置。
【請求項５】
請求項１に記載の仮想音像定位処理装置において、
上記補助信号生成部は、
上記音響信号から、聴取位置の周囲の第１の位置に音像を定位させる第１および第２の補助信号を生成する第１の補助信号生成部と、
上記音響信号から、聴取位置の周囲の第２の位置に音像を定位させる第３および第４の補助信号を生成する第２の補助信号生成部と、
上記音響信号から、聴取位置の周囲の第３の位置に音像を定位させる第５および第６の補助信号を生成する第３の補助信号生成部と、
上記音響信号から、聴取位置の周囲の第４の位置に音像を定位させる第７および第８の補助信号を生成する第４の補助信号生成部と
を備え、
第１の出力端子には、第１の主信号と第２の補助信号と第６の補助信号とが合成された音響信号が供給され、上記第３の出力端子には、第１の補助信号と第５の補助信号とが合成された音響信号が供給され、
第２の出力端子には、第２の主信号と第３の補助信号と第７の補助信号とが合成された音響信号が供給され、上記第４の出力端子には、第４の補助信号と第８の補助信号とが合成された音響信号が供給されること
を特徴とする仮想音像定位処理装置。
【請求項６】
請求項１に記載の仮想音像定位処理装置において、
上記補助信号生成部は、
上記音響信号から、聴取位置の周囲の第１の位置に音像を定位させる第１および第２の補助信号を生成する第１の補助信号生成部と、
上記音響信号から、聴取位置の周囲の第２の位置に音像を定位させる第３および第４の補助信号を生成する第２の補助信号生成部と、
上記音響信号から、聴取位置の周囲の第３の位置に音像を定位させる第５および第６の補助信号を生成する第３の補助信号生成部と、
上記音響信号から、聴取位置の周囲の第４の位置に音像を定位させる第７および第８の補助信号を生成する第４の補助信号生成部と
を備え、
第１の出力端子には、第１の主信号と第１の補助信号と第５の補助信号とが合成された音響信号が供給され、上記第３の出力端子には、第２の補助信号と第６の補助信号とが合成された音響信号が供給され、
第２の出力端子には、第２の主信号と第４の補助信号と第８の補助信号とが合成された音響信号が供給され、上記第４の出力端子には、第３の補助信号と第７の補助信号とが合成された音響信号が供給されること
を特徴とする仮想音像定位処理装置。
【請求項７】
請求項５または請求項６に記載の仮想音像定位処理装置において、
上記第１の補助信号、上記第２の補助信号、上記第３の補助信号、上記第４の補助信号、上記第５の補助信号、上記第６の補助信号、上記第７の補助信号および上記第８の補助信号はそれぞれ所定の帯域に制限される音響信号である仮想音像定位処理装置。
【請求項８】
請求項５または請求項６に記載の仮想音像定位処理装置において、
上記第１および第３の出力端子のいずれか一方の出力端子に供給される音響信号に含まれる第１の主信号に対して遅延処理が行われ、上記第２および第４の出力端子のいずれか一方の出力端子に供給される音響信号に含まれる第２の主信号に対して遅延処理が行われること
を特徴とする仮想音像定位処理装置。
【請求項９】
音源の音響信号から、聴取位置の周囲の所定の位置に音像を定位させる第１および第２の主信号を生成する主信号生成ステップと、
音源の音響信号から、聴取位置の周囲の所定の位置に音像を定位させる第１および第２の補助信号を生成する第１の補助信号生成ステップと、
音源の音響信号から、聴取位置の周囲の所定の位置に音像を定位させる第３および第４の補助信号を生成する第２の補助信号生成ステップと、
第１の音声出力部に供給される音響信号を出力する第１の出力端子に、第１の主信号と第１の補助信号とが合成された音響信号を供給し、上記第１の音声出力部と近接された第３の音声出力部に供給される音響信号を出力する第３の出力端子に、第２の補助信号を供給し、第２の音声出力部に供給される音響信号を出力する第２の出力端子に、第２の主信号と第３の補助信号とが合成された音響信号を供給し、上記第２の音声出力部と近接された第４の音声出力部に供給される音響信号を出力する第４の出力端子に、第４の補助信号を供給する供給ステップからなること
を特徴とする仮想音像定位処理方法。
【請求項１０】
音源の音響信号から、聴取位置の周囲の所定の位置に音像を定位させる第１および第２の主信号を生成する主信号生成ステップと、
音源の音響信号から、聴取位置の周囲の所定の位置に音像を定位させる第１および第２の補助信号を生成する第１の補助信号生成ステップと、
音源の音響信号から、聴取位置の周囲の所定の位置に音像を定位させる第３および第４の補助信号を生成する第２の補助信号生成ステップと、
音源の音響信号から、聴取位置の周囲の所定の位置に音像を定位させる第５および第６の補助信号を生成する第３の補助信号生成ステップと、
音源の音響信号から、聴取位置の周囲の所定の位置に音像を定位させる第７および第８の補助信号を生成する第４の補助信号生成ステップと、
第１の音声出力部に供給される音響信号を出力する第１の出力端子に、第１の主信号と第２の補助信号と第６の補助信号とが合成された音響信号を供給し、上記第１の音声出力部と近接された第３の音声出力部に供給される音響信号を出力する第３の出力端子に、第１の補助信号と第５の補助信号とが合成された音響信号を供給し、第２の音声出力部に供給される音響信号を出力する第２の出力端子に、第２の主信号と第３の補助信号と第７の補助信号とが合成された音響信号を供給し、上記第２の音声出力部と近接された第４の音声出力部に供給される音響信号を出力する第４の出力端子に、第４の補助信号と第８の補助信号とが合成された音響信号を供給する供給ステップからなること
を特徴とする仮想音像定位処理方法。
【請求項１１】
音源の音響信号から、聴取位置の周囲の所定の位置に音像を定位させる第１および第２の主信号を生成する主信号生成ステップと、
音源の音響信号から、聴取位置の周囲の所定の位置に音像を定位させる第１および第２の補助信号を生成する第１の補助信号生成ステップと、
音源の音響信号から、聴取位置の周囲の所定の位置に音像を定位させる第３および第４の補助信号を生成する第２の補助信号生成ステップと、
音源の音響信号から、聴取位置の周囲の所定の位置に音像を定位させる第５および第６の補助信号を生成する第３の補助信号生成ステップと、
音源の音響信号から、聴取位置の周囲の所定の位置に音像を定位させる第７および第８の補助信号を生成する第４の補助信号生成ステップと、
第１の音声出力部に供給される音響信号を出力する第１の出力端子に、第１の主信号と第１の補助信号と第５の補助信号とが合成された音響信号を供給し、上記第１の音声出力部と近接された第３の音声出力部に供給される音響信号を出力する第３の出力端子に、第２の補助信号と第６の補助信号とが合成された音響信号を供給し、第２の音声出力部に供給される音響信号を出力する第２の出力端子に、第２の主信号と第４の補助信号と第８の補助信号とが合成された音響信号を供給し、上記第２の音声出力部と近接された第４の音声出力部に供給される音響信号を出力する第４の出力端子に、第３の補助信号と第７の補助信号とが合成された音響信号を供給する供給ステップからなること
を特徴とする仮想音像定位処理方法。
【請求項１２】
音源の音響信号から、聴取位置の周囲の所定の位置に音像を定位させる第１および第２の主信号を生成する主信号生成ステップと、
音源の音響信号から、聴取位置の周囲の所定の位置に音像を定位させる第１および第２の補助信号を生成する第１の補助信号生成ステップと、
音源の音響信号から、聴取位置の周囲の所定の位置に音像を定位させる第３および第４の補助信号を生成する第２の補助信号生成ステップと、
第１の音声出力部に供給される音響信号を出力する第１の出力端子に、第１の主信号と第１の補助信号とが合成された音響信号を供給し、上記第１の音声出力部と近接された第３の音声出力部に供給される音響信号を出力する第３の出力端子に、第２の補助信号を供給し、第２の音声出力部に供給される音響信号を出力する第２の出力端子に、第２の主信号と第３の補助信号とが合成された音響信号を供給し、上記第２の音声出力部と近接された第４の音声出力部に供給される音響信号を出力する第４の出力端子に、第４の補助信号を供給する供給ステップからなる処理
をコンピュータに実行させるプログラム。
【請求項１３】
音源の音響信号から、聴取位置の周囲の所定の位置に音像を定位させる第１および第２の主信号を生成する主信号生成ステップと、
音源の音響信号から、聴取位置の周囲の所定の位置に音像を定位させる第１および第２の補助信号を生成する第１の補助信号生成ステップと、
音源の音響信号から、聴取位置の周囲の所定の位置に音像を定位させる第３および第４の補助信号を生成する第２の補助信号生成ステップと、
音源の音響信号から、聴取位置の周囲の所定の位置に音像を定位させる第５および第６の補助信号を生成する第３の補助信号生成ステップと、
音源の音響信号から、聴取位置の周囲の所定の位置に音像を定位させる第７および第８の補助信号を生成する第４の補助信号生成ステップと、
第１の音声出力部に供給される音響信号を出力する第１の出力端子に、第１の主信号と第２の補助信号と第６の補助信号とが合成された音響信号を供給し、上記第１の音声出力部と近接された第３の音声出力部に供給される音響信号を出力する第３の出力端子に、第１の補助信号と第５の補助信号とが合成された音響信号を供給し、第２の音声出力部に供給される音響信号を出力する第２の出力端子に、第２の主信号と第３の補助信号と第７の補助信号とが合成された音響信号を供給し、上記第２の音声出力部と近接された第４の音声出力部に供給される音響信号を出力する第４の出力端子に、第４の補助信号と第８の補助信号とが合成された音響信号を供給する供給ステップからなる処理
をコンピュータに実行させるプログラム。
【請求項１４】
音源の音響信号から、聴取位置の周囲の所定の位置に音像を定位させる第１および第２の主信号を生成する主信号生成ステップと、
音源の音響信号から、聴取位置の周囲の所定の位置に音像を定位させる第１および第２の補助信号を生成する第１の補助信号生成ステップと、
音源の音響信号から、聴取位置の周囲の所定の位置に音像を定位させる第３および第４の補助信号を生成する第２の補助信号生成ステップと、
音源の音響信号から、聴取位置の周囲の所定の位置に音像を定位させる第５および第６の補助信号を生成する第３の補助信号生成ステップと、
音源の音響信号から、聴取位置の周囲の所定の位置に音像を定位させる第７および第８の補助信号を生成する第４の補助信号生成ステップと、
第１の音声出力部に供給される音響信号を出力する第１の出力端子に、第１の主信号と第１の補助信号と第５の補助信号とが合成された音響信号を供給し、上記第１の音声出力部と近接された第３の音声出力部に供給される音響信号を出力する第３の出力端子に、第２の補助信号と第６の補助信号とが合成された音響信号を供給し、第２の音声出力部に供給される音響信号を出力する第２の出力端子に、第２の主信号と第４の補助信号と第８の補助信号とが合成された音響信号を供給し、上記第２の音声出力部と近接された第４の音声出力部に供給される音響信号を出力する第４の出力端子に、第３の補助信号と第７の補助信号とが合成された音響信号を供給する供給ステップからなる処理
をコンピュータに実行させるプログラム。
【請求項１５】
音源の音響信号から、聴取位置の周囲の所定の位置に音像を定位させる第１および第２の主信号を生成し、
音源の音響信号から、聴取位置の周囲の所定の位置に音像を定位させる第１および第２の補助信号を生成し、
音源の音響信号から、聴取位置の周囲の所定の位置に音像を定位させる第３および第４の補助信号を生成し、
第１の音声出力部に供給される音響信号を出力する第１の出力端子に、第１の主信号と第１の補助信号とが合成された音響信号を供給し、上記第１の音声出力部と近接された第３の音声出力部に供給される音響信号を出力する第３の出力端子に、第２の補助信号を供給し、第２の音声出力部に供給される音響信号を出力する第２の出力端子に、第２の主信号と第３の補助信号とが合成された音響信号を供給し、上記第２の音声出力部と近接された第４の音声出力部に供給される音響信号を出力する第４の出力端子に、第４の補助信号を供給すること
で音響再生を行う音響信号再生方式。
【手続補正２】
【補正対象書類名】明細書
【補正対象項目名】００１５
【補正方法】変更
【補正の内容】
【００１５】
上述した課題を解決するために、この発明の第１の態様は、音源の音響信号から、聴取位置の周囲の所定の位置に音像を定位させる第１および第２の主信号を生成する仮想音像定位処理装置において、左右に配置された第１および第２の音声出力部に供給される音響信号を出力する第１および第２の出力端子と、第１および第２の音声出力部とそれぞれ近接した位置に配置される第３および第４の音声出力部に供給される音響信号を出力する第３および第４の出力端子と、音源の音響信号から、聴取位置の周囲の所定の位置に音像を定位させる補助信号を生成する少なくとも２以上の補助信号生成部を備え、第１の出力端子には少なくとも第１の主信号を含む音響信号が供給され、第３の出力端子には少なくとも補助信号生成部で生成された補助信号を含む音響信号が供給され、第２の出力端子には少なくとも第２の主信号を含む音響信号が供給され、第４の出力端子には少なくとも補助信号生成部で生成された補助信号を含む音響信号が供給されることを特徴とする仮想音像定位処理装置である。
【手続補正３】
【補正対象書類名】明細書
【補正対象項目名】００１６
【補正方法】変更
【補正の内容】
【００１６】
この発明の第２の態様は、上述の第１の態様の仮想音像定位処理装置において、補助信号生成部は、音源の音響信号から、聴取位置の周囲の第１の位置に音像を定位させる第１および第２の補助信号を生成する第１の補助信号生成部と、音源の音響信号から、聴取位置の周囲の第２の位置に音像を定位させる第３および第４の補助信号を生成する第２の補助信号生成部を備え、第１の出力端子には、第１の主信号と第１の補助信号とが合成された音響信号が供給され、第３の出力端子には、第２の補助信号が供給され、第２の出力端子には、第２の主信号と第３の補助信号とが合成された音響信号が供給され、第４の出力端子には、第４の補助信号が供給されることを特徴とする仮想音像定位処理装置である。
【手続補正４】
【補正対象書類名】明細書
【補正対象項目名】００１７
【補正方法】変更
【補正の内容】
【００１７】
この発明の第３の態様は、上述の第１の態様の仮想音像定位処理装置において、補助信号生成部は、音源の音響信号から、聴取位置の周囲の第１の位置に音像を定位させる第１および第２の補助信号を生成する第１の補助信号生成部と、音源の音響信号から、聴取位置の周囲の第２の位置に音像を定位させる第３および第４の補助信号を生成する第２の補助信号生成部と、音源の音響信号から、聴取位置の周囲の第３の位置に音像を定位させる第５および第６の補助信号を生成する第３の補助信号生成部と、音源の音響信号から、聴取位置の周囲の第４の位置に音像を定位させる第７および第８の補助信号を生成する第４の補助信号生成部とを備え、第１の出力端子には、第１の主信号と第２の補助信号と第６の補助信号とが合成された音響信号が供給され、第３の出力端子には、第１の補助信号と第５の補助信号とが合成された音響信号が供給され、第２の出力端子には、第２の主信号と第３の補助信号と第７の補助信号とが合成された音響信号が供給され、第４の出力端子には、第４の補助信号と第８の補助信号とが合成された音響信号が供給されることを特徴とする仮想音像定位処理装置である。
【手続補正５】
【補正対象書類名】明細書
【補正対象項目名】００１８
【補正方法】変更
【補正の内容】
【００１８】
この発明の第４の態様は、上述の第１の態様の仮想音像定位処理装置において、補助信号生成部は、音源の音響信号から、聴取位置の周囲の第１の位置に音像を定位させる第１および第２の補助信号を生成する第１の補助信号生成部と、音源の音響信号から、聴取位置の周囲の第２の位置に音像を定位させる第３および第４の補助信号を生成する第２の補助信号生成部と、音源の音響信号から、聴取位置の周囲の第３の位置に音像を定位させる第５および第６の補助信号を生成する第３の補助信号生成部と、音源の音響信号から、聴取位置の周囲の第４の位置に音像を定位させる第７および第８の補助信号を生成する第４の補助信号生成部とを備え、第１の出力端子には、第１の主信号と第１の補助信号と第５の補助信号とが合成された音響信号が供給され、第３の出力端子には、第２の補助信号と第６の補助信号とが合成された音響信号が供給され、第２の出力端子には、第２の主信号と第４の補助信号と第８の補助信号とが合成された音響信号が供給され、第４の出力端子には、第３の補助信号と第７の補助信号とが合成された音響信号が供給されることを特徴とする仮想音像定位処理装置である。
【手続補正６】
【補正対象書類名】明細書
【補正対象項目名】００１９
【補正方法】変更
【補正の内容】
【００１９】
この発明の第５の態様は、音源の音響信号から、聴取位置の周囲の所定の位置に音像を定位させる第１および第２の主信号を生成する主信号生成ステップと、音源の音響信号から、聴取位置の周囲の所定の位置に音像を定位させる第１および第２の補助信号を生成する第１の補助信号生成ステップと、音源の音響信号から、聴取位置の周囲の所定の位置に音像を定位させる第３および第４の補助信号を生成する第２の補助信号生成ステップと、第１の音声出力部に供給される音響信号を出力する第１の出力端子に、第１の主信号と第１の補助信号とが合成された音響信号を供給し、第１の音声出力部と近接された第３の音声出力部に供給される音響信号を出力する第３の出力端子に、第２の補助信号を供給し、第２の音声出力部に供給される音響信号を出力する第２の出力端子に、第２の主信号と第３の補助信号とが合成された音響信号を供給し、第２の音声出力部と近接された第４の音声出力部に供給される音響信号を出力する第４の出力端子に、第４の補助信号を供給する供給ステップからなることを特徴とする仮想音像定位処理方法である。
【手続補正７】
【補正対象書類名】明細書
【補正対象項目名】００２０
【補正方法】変更
【補正の内容】
【００２０】
この発明の第６の態様は、音源の音響信号から、聴取位置の周囲の所定の位置に音像を定位させる第１および第２の主信号を生成する主信号生成ステップと、音源の音響信号から、聴取位置の周囲の所定の位置に音像を定位させる第１および第２の補助信号を生成する第１の補助信号生成ステップと、音源の音響信号から、聴取位置の周囲の所定の位置に音像を定位させる第３および第４の補助信号を生成する第２の補助信号生成ステップと、音源の音響信号から、聴取位置の周囲の所定の位置に音像を定位させる第５および第６の補助信号を生成する第３の補助信号生成ステップと、音源の音響信号から、聴取位置の周囲の所定の位置に音像を定位させる第７および第８の補助信号を生成する第４の補助信号生成ステップと、第１の音声出力部に供給される音響信号を出力する第１の出力端子に、第１の主信号と第２の補助信号と第６の補助信号とが合成された音響信号を供給し、第１の音声出力部と近接された第３の音声出力部に供給される音響信号を出力する第３の出力端子に、第１の補助信号と第５の補助信号とが合成された音響信号を供給し、第２の音声出力部に供給される音響信号を出力する第２の出力端子に、第２の主信号と第３の補助信号と第７の補助信号とが合成された音響信号を供給し、第２の音声出力部と近接された第４の音声出力部に供給される音響信号を出力する第４の出力端子に、第４の補助信号と第８の補助信号とが合成された音響信号を供給する供給ステップからなることを特徴とする仮想音像定位処理方法である。
【手続補正８】
【補正対象書類名】明細書
【補正対象項目名】００２１
【補正方法】変更
【補正の内容】
【００２１】
この発明の第７の態様は、音源の音響信号から、聴取位置の周囲の所定の位置に音像を定位させる第１および第２の主信号を生成する主信号生成ステップと、音源の音響信号から、聴取位置の周囲の所定の位置に音像を定位させる第１および第２の補助信号を生成する第１の補助信号生成ステップと、音源の音響信号から、聴取位置の周囲の所定の位置に音像を定位させる第３および第４の補助信号を生成する第２の補助信号生成ステップと、音源の音響信号から、聴取位置の周囲の所定の位置に音像を定位させる第５および第６の補助信号を生成する第３の補助信号生成ステップと、音源の音響信号から、聴取位置の周囲の所定の位置に音像を定位させる第７および第８の補助信号を生成する第４の補助信号生成ステップと、第１の音声出力部に供給される音響信号を出力する第１の出力端子に、第１の主信号と第１の補助信号と第５の補助信号とが合成された音響信号を供給し、第１の音声出力部と近接された第３の音声出力部に供給される音響信号を出力する第３の出力端子に、第２の補助信号と第６の補助信号とが合成された音響信号を供給し、第２の音声出力部に供給される音響信号を出力する第２の出力端子に、第２の主信号と第４の補助信号と第８の補助信号とが合成された音響信号を供給し、第２の音声出力部と近接された第４の音声出力部に供給される音響信号を出力する第４の出力端子に、第３の補助信号と第７の補助信号とが合成された音響信号を供給する供給ステップからなることを特徴とする仮想音像定位処理方法である。
【手続補正９】
【補正対象書類名】明細書
【補正対象項目名】００２２
【補正方法】変更
【補正の内容】
【００２２】
この発明の第８の態様は、音源の音響信号から、聴取位置の周囲の所定の位置に音像を定位させる第１および第２の主信号を生成する主信号生成ステップと、音源の音響信号から、聴取位置の周囲の所定の位置に音像を定位させる第１および第２の補助信号を生成する第１の補助信号生成ステップと、音源の音響信号から、聴取位置の周囲の所定の位置に音像を定位させる第３および第４の補助信号を生成する第２の補助信号生成ステップと、第１の音声出力部に供給される音響信号を出力する第１の出力端子に、第１の主信号と第１の補助信号とが合成された音響信号を供給し、第１の音声出力部と近接された第３の音声出力部に供給される音響信号を出力する第３の出力端子に、第２の補助信号を供給し、第２の音声出力部に供給される音響信号を出力する第２の出力端子に、第２の主信号と第３の補助信号とが合成された音響信号を供給し、第２の音声出力部と近接された第４の音声出力部に供給される音響信号を出力する第４の出力端子に、第４の補助信号を供給する供給ステップからなる処理をコンピュータに実行させるプログラムである。
【手続補正１０】
【補正対象書類名】明細書
【補正対象項目名】００２３
【補正方法】変更
【補正の内容】
【００２３】
この発明の第９の態様は、音源の音響信号から、聴取位置の周囲の所定の位置に音像を定位させる第１および第２の主信号を生成する主信号生成ステップと、音源の音響信号から、聴取位置の周囲の所定の位置に音像を定位させる第１および第２の補助信号を生成する第１の補助信号生成ステップと、音源の音響信号から、聴取位置の周囲の所定の位置に音像を定位させる第３および第４の補助信号を生成する第２の補助信号生成ステップと、音源の音響信号から、聴取位置の周囲の所定の位置に音像を定位させる第５および第６の補助信号を生成する第３の補助信号生成ステップと、音源の音響信号から、聴取位置の周囲の所定の位置に音像を定位させる第７および第８の補助信号を生成する第４の補助信号生成ステップと、第１の音声出力部に供給される音響信号を出力する第１の出力端子に、第１の主信号と第２の補助信号と第６の補助信号とが合成された音響信号を供給し、第１の音声出力部と近接された第３の音声出力部に供給される音響信号を出力する第３の出力端子に、第１の補助信号と第５の補助信号とが合成された音響信号を供給し、第２の音声出力部に供給される音響信号を出力する第２の出力端子に、第２の主信号と第３の補助信号と第７の補助信号とが合成された音響信号を供給し、第２の音声出力部と近接された第４の音声出力部に供給される音響信号を出力する第４の出力端子に、第４の補助信号と第８の補助信号とが合成された音響信号を供給する供給ステップからなる処理をコンピュータに実行させるプログラムである。
【手続補正１１】
【補正対象書類名】明細書
【補正対象項目名】００２４
【補正方法】変更
【補正の内容】
【００２４】
この発明の第１０の態様は、音源の音響信号から、聴取位置の周囲の所定の位置に音像を定位させる第１および第２の主信号を生成する主信号生成ステップと、音源の音響信号から、聴取位置の周囲の所定の位置に音像を定位させる第１および第２の補助信号を生成する第１の補助信号生成ステップと、音源の音響信号から、聴取位置の周囲の所定の位置に音像を定位させる第３および第４の補助信号を生成する第２の補助信号生成ステップと、音源の音響信号から、聴取位置の周囲の所定の位置に音像を定位させる第５および第６の補助信号を生成する第３の補助信号生成ステップと、音源の音響信号から、聴取位置の周囲の所定の位置に音像を定位させる第７および第８の補助信号を生成する第４の補助信号生成ステップと、第１の音声出力部に供給される音響信号を出力する第１の出力端子に、第１の主信号と第１の補助信号と第５の補助信号とが合成された音響信号を供給し、第１の音声出力部と近接された第３の音声出力部に供給される音響信号を出力する第３の出力端子に、第２の補助信号と第６の補助信号とが合成された音響信号を供給し、第２の音声出力部に供給される音響信号を出力する第２の出力端子に、第２の主信号と第４の補助信号と第８の補助信号とが合成された音響信号を供給し、第２の音声出力部と近接された第４の音声出力部に供給される音響信号を出力する第４の出力端子に、第３の補助信号と第７の補助信号とが合成された音響信号を供給する供給ステップからなる処理をコンピュータに実行させるプログラムである。
【手続補正１２】
【補正対象書類名】明細書
【補正対象項目名】００２５
【補正方法】変更
【補正の内容】
【００２５】
この発明の第１１の態様は、音源の音響信号から、聴取位置の周囲の所定の位置に音像を定位させる第１および第２の主信号を生成し、音源の音響信号から、聴取位置の周囲の所定の位置に音像を定位させる第１および第２の補助信号を生成し、音源の音響信号から、聴取位置の周囲の所定の位置に音像を定位させる第３および第４の補助信号を生成し、第１の音声出力部に供給される音響信号を出力する第１の出力端子に、第１の主信号と第１の補助信号とが合成された音響信号を供給し、第１の音声出力部と近接された第３の音声出力部に供給される音響信号を出力する第３の出力端子に、第２の補助信号を供給し、第２の音声出力部に供給される音響信号を出力する第２の出力端子に、第２の主信号と第３の補助信号とが合成された音響信号を供給し、第２の音声出力部と近接された第４の音声出力部に供給される音響信号を出力する第４の出力端子に、第４の補助信号を供給することで音響再生を行う音響信号再生方式である。